(57)【要約】【課題】房採りトマトを簡便な方法により、安定して栽培できる露地栽培方法を提供する。【解決手段】各房のトマトの果実径が直径1〜2ｃｍに肥大した時点で、遮光率１０〜１５％の透気性及び撥水性を具備する袋を用いて各房ごとに袋掛けを施し、各房ごとにその全周を袋で２０日〜３０日間被覆することにより袋内の日中温度を３０℃〜３５℃以下に保つことを特徴とする。【選択図】なし【特許請求の範囲】
【請求項１】
房採りトマトの露地栽培法であって、着果後各房のトマト果実径が直径1〜2ｃｍに肥大した時点で、遮光率１０〜１５％の透気性及び撥水性を具備する袋を用いて各房ごとに袋掛けを施し、各房ごとにその全周を袋で２０日〜３０日間被覆することにより袋内の日中温度を３０℃〜３５°Ｃ以下に保つことを特徴とする房採りトマトの露地栽培法。
【請求項２】
請求項１に記載の露地栽培法であって、使用する袋は、水抜き孔を底部に備えている白色紙袋である房採りトマトの露地栽培法。
【発明の詳細な説明】
【技術分野】
【０００１】
本発明は、房採りトマトの露地栽培法に関し、とくに、遮光袋を用いて、トマトの果実を房ごとに被覆する房採りトマトの有袋栽培方法に関する。
【背景技術】
【０００２】
わが国の出荷販売用トマト果実の栽培形態はハウス栽培（ビニール張りパイプ形、ガラス張り鉄骨形）が主流である。ハウス栽培は収量や品質の安定化がはかれ、計画生産と出荷調整が可能である。しかし、ハウス栽培圃場は嫌地現象を防ぐために４〜５年の間隔で休耕する。また圃場土壌は毎年土壌消毒を実施して殺菌しなければならない。平成１６年までは消毒に臭化メチルを使用していたが禁止となり、以後は太陽熱とか蒸気、火力等による消毒に移行している。しかし嫌地現象は、これらの方法によって完全に解消されたわけではない。そのうえ施設費を含む栽培コストは露地栽培よりも高くつくことが多い。
【０００３】
<露地栽培の問題点>
１．裂果
トマトの果実は強力な直射日光（３０℃以上）を受けると、果皮が高温により硬化し、ヘタの下で放射状に深く裂ける。また、空中湿度が少ないとき、突然の降雨などにより着色期のトマトの果実に直接水滴が当ると果全体に裂け目が出たり、汚損してしまうことがある。
２．鮮度低下
トマトは盛夏期（７〜８月）には、高温（３０℃以上）でガクが萎れたり、直射日光で果皮の産毛が縮んでしまい、新鮮さが失われることがある。
３．着色むら
トマトの果実の肩の部位は、直射日光で高温（３５℃以上）になりやすく、赤色のリコピンは生成されず、黄色のカロテンだけが生成されるため、赤く着色されずに黄色も残り、着色むらになる。
４．鳥虫害
トマト果実の虫害は農薬によって防除できるが、屋外であるため風雨などを受けて残効期間が短い。トマト果実の鳥害は小玉と中玉に集中する。赤くて甘味のある小果実は、鳥類の絶好の餌となる。
５．農薬汚染
トマト栽培圃場に近接する田畑から強毒性で残効日数の長い農薬が飛散（５０〜１５０ｍ）することがある。露地栽培トマトの果実に、農薬が付着する恐れが充分ある。また、自家散布の農薬が果皮とガクに付着しているのは日常的な現象である。
６．衛生管理不良
収穫時の衛生管理が良くない。特に、目では確認できない程度に裂果した果実を容器（コンテナー、かご等）に収納する場合、ハエなどの小動物が果実に付着している。これら小動物が良品トマトのヘタに付着し、腐敗菌を運ぶことがある。結果として、出荷時は一応良品トマトであっても、店頭では傷み果となる場合もあり、傷み口に産卵していることもあるので不衛生である。
以前は各地で露地栽培が行われていたが、その栽培法は上記の通り自然条件に影響されやすく、廃棄率が高く、収量や品質が安定しない。
そのため、露地栽培による作型は近年減少傾向にあり、ハウス栽培が主流となっている。
【発明の開示】
【発明が解決しようとする課題】
【０００４】
このような各面の問題点がある露地栽培法を改善したのが本発明の栽培方法であり、高品質の房採りトマトを簡便な方法により、安定して栽培できる露地栽培方法を提供することを課題とする。
【課題を解決するための手段】
【０００５】
そこで前記課題を解決すべく本発明者は、以下のような有袋栽培法の研究開発を行ってきた。
すなわち、本発明者開発に係る栽培法の第１は、房採りトマトの露地栽培法であって、着果後各房のトマトの果実径が直径1〜2ｃｍに肥大した時点で、遮光率１０〜１５％の透気性及び撥水性を具備する袋を用いて各房ごとに袋掛けを施し、各房ごとにその全周を袋で２０日〜３０日間被覆することにより袋内の日中温度を３０℃〜３５℃以下に保つことを特徴とする房採りトマトの露地栽培法である。
【０００６】
第２の発明は、請求項１に記載の露地栽培法であって、使用する袋は、水抜き孔を底部に備えている白色紙袋である房採りトマトの露地栽培法である。
【発明の効果】
【０００７】
本発明の方法によると、次のような改善が認められる。
１．裂果の改善
収穫期のトマト果実は、強い直射日光（３０℃以上）を直接受けると、果皮が高温により硬化したり老化したりして、ヘタの下から放射状に裂ける。また、湿度が低いとき（４０％以下）、雷雨などの突然の降雨により収穫期のトマト果実に直接水滴が当ると、果皮全体に裂け目が生じたり、泥はねにより汚損してしまうことがある。トマト果実の裂果と汚損を無くするためには、撥水性と通気性のある白色の紙袋を掛けることにより解決できる。袋を掛ける時期は、トマトの果実が直径１〜２ｃｍに肥大したときが最適である。撥水性と通気性のある白色の紙袋をトマトの果実に掛けることにより、外気温よりも３〜５℃下げることができる。また、紙袋はトマト果実を直射日光から遮り、外面品質の評価を高めるのに役立つ。
２．鮮度低下の改善
トマトは盛夏期（７〜８月）には、高温（３０℃以上）のためガクが萎れたり、直射日光を受けて果皮の産毛が縮んでしまい、新鮮さが低下してしまうことがある。トマトの果実のガクの萎れや果皮産毛の縮れを防止するため撥水性と通気性のある白色の紙袋をトマトの房全体に掛けることにより改善できる。撥水性と通気性のある白色の紙袋はある程度光を透過するが遮光には役立ち、また通気性と通湿性があるため、トマトの果実全体の鮮度を保持する。店頭でトマトの鮮度を見分けるポイントとして、果皮の産毛やガクの張り具合などがあげられる。このことは売れ行きや値段にも反映する。
３．色むらの改善
トマト果実の肩の部位は直射日光を受けて高温（３５℃以上）になりやすい。果色は赤色のリコピンと黄色のカロテンとの組み合わせにより発現される。果実の温度が３５℃を超えるとリコピンは生成されず、カロテンだけが生成される。トマト果実の着色むらは、高温下では黄色のカロテンだけが生成されるため、赤く着色されずに黄色も残るために起こる。トマト果実の着色むらは、鮮度低下と並び外面品質評価の重要ポイントである。着色むら発生の防止には、撥水性と通気性のある白色の紙袋を掛けることにより、直射日光を遮断し、通気性の高い紙袋により３５℃以下に袋内を保つことによって改善できる。
４．鳥虫害の改善
トマト果実に対する青虫、尺取虫、芯食い虫、蜂類などの虫害は、農薬によって防除できるが、圃場が屋外であるため風雨を直接受け、屋内に比べて農薬の残効期間が短い。そのため、一週間に一度の割合で農薬散布をしなければならない。また、トマト果実に対する鳥害は小玉果と中玉果に集中する。収穫間近の赤い中小玉果は、鳥類の格好の餌となる。鳥虫害からトマト果実を守るためには撥水性と通気性のある白色の紙袋を房の根本にしっかりと結び掛けることにより改善できる。
５．農薬汚染の改善
自家散布の農薬が、果皮とガクに付着しているのは日常的な現象である。しかし、時としてトマト栽培圃場に近接する田畑から強毒性で残効日数の長い農薬が飛散（５０〜１５０ｍ）し、果皮に付着することがある。トマト果実に対する農薬汚染を防禦する方法は、袋掛けが最も簡便で、しかも安全性が高い。露地圃場でも７０〜１００日は使用に耐え得る。
６．トマト果実収穫時の衛生管理が、露地栽培圃場においては特に良くない。人間の目では確認できない程度に裂果した果実に気付かず収穫し容器（コンテナー、かごなど）に収納する場合、ショウジョウバエなどの小動物やその卵が果実に付着している。これら小動物が良品トマトのヘタに付着して腐敗菌を運ぶことがある。衛生管理と品質管理が不十分になりがちな収穫時のトマトは、トマト果実が青くて小粒のうちに撥水性と通気性のある白色の紙袋を掛けることによって小動物から守ることができ、しかも裂果もないのでハエや蜂も集まることもない。衛生面でも、安心して食べられるトマト果実は、撥水性と通気性のある白色の紙袋掛けによって得ることができる。
【発明を実施するための最良の形態】
【０００８】
次に、本発明を実施例に基づいて説明するが、本発明がこれによって限定されるものではない。
図１は、本発明でトマト果実の房を被覆する袋１の一例を示し、幅２０．５〜２１．５ｃｍ  、長さ３０．５〜３１．５ｃｍの、一例として角形封筒タイプの撥水性白色袋であり、上端２は開口している。この袋の基材は一例として紙であるが、不織布、透気性を有するプラスチックフィルム、あるいはこれらの基材を積層した複合紙であっても良い。要するに袋は、少なくとも遮光率１０〜１５％の、透気性で、蝋紙などの撥水性を具備する材料からなり、広範の温度条件で結露が発生し難い遮光袋を用いる。さらに袋底には水抜き孔（図略）を備えていることが望ましい。雨水が袋底に溜まることを防ぐためである。
【０００９】
このような袋の好適な例は、小林製袋産業株式会社製の果実育成袋：品番ＡＡ２１Ｆ、０４Ａ０５である。
図１に示す袋の口中央に、Ｖ形又はＩ形の５〜８ｃｍの長さの切込み３が設けられている。またこの袋口に紐通しを形成し、結束紐を設けることも可能である。トマトの房についた果実は図２のように幹に接して成長するので、上記のように袋口の中央に切込み３を設けると、トマトの房と反対側で図３のごとく、袋口を絞ってその口を袋付属の紐とか針金等４で縛り固定することは容易である。
【００１０】
<生育試験>
実施圃場名：福島県伊達郡梁川町粟野沼頭地先トマト生産圃場：通称甚一畑（有機ＪＡＳ認定）
生産者    ：タチバナペーパーウエアー株式会社
本発明者は、夏秋房採り中玉トマト（栽培品種名：オランダ・レイクスワン社生産種子レジーナ）を使用して、福島県伊達郡梁川町粟野沼頭先の「トマト生産圃場（通称：甚一畑）」において、平成１７年４月トマトの露地栽培試験を下記のように実施した。
袋は、小林製袋産業株式会社製の果実育成袋：ＡＡ２１Ｆ（図１）の袋を用いた。
実施形態  ：露地栽培
実施面積  ：０．５アール
栽培品種名：レジーナ（房採り中玉トマト）
種子生産者：オランダ・レイクスワン社生産種子
栽培本数  ：１００本
育苗形態  ：実生苗（種子を土中に蒔き発芽させた苗）
播種      ：平成１７年４月２０日〜
移植      ：平成１７年５月１５日〜
定植      ：平成１７年６月４日〜
開花      ：平成１７年６月１５日〜
袋掛      ：平成１７年６月２０日〜
収穫      ：平成１７年７月２０日〜
収穫形態  ：房採り。１房５〜７玉（１玉平均３５ｇ）
【００１１】
<試験の説明>
（１）平成１２年１２月、アイシーエス日本(株)によって有機ＪＡＳ認定を受けた甚一畑（福島県伊達郡梁川町粟野沼頭）の一部０．５アールを有機ＪＡＳ中玉トマトの生産圃場に当てた。
（２）露地栽培による夏秋トマト生産を目指す。
圃場には、自社生産の発酵肥料：コスモス２１を平成１７年３月中旬に約５０ｋｇすき込む。コスモス２１の内容は、大豆油カス、米ヌカ、鶏糞、魚粉、骨粉、苦土石灰、カキガラ粉、石灰、あんぽ柿、モミ殻、土着菌である。
（３）圃場への定植はトマト苗が第一段目の花芽が確認できる頃実施した。定植畝には１０〜１５日前に黒マルチを敷き、保温保湿と雑草防止、泥はね防止した。
（４）定植後３０日目頃に第５段目の花芽が出た。交配は、自然界のマメコバチによった。この頃、支柱（いぼ竹）を立て、トマトの幹を麻ひもで結び、倒伏を防いだ。第１段目の房に５〜６玉着けて、他は切り取った。トマト房の先端の玉の大きさが直径１〜２ｃｍの大きさに育ったとき、袋掛けを実施した。青虫の食害予防効果は大である。この方法はあたかもぶどう巨峰に袋掛けするのと同じである。袋もブドウ用の２０号（２１．５×３１．５ｃｍ）（小林製袋産業(株)製）を用いた。また、日当たりを良くするため脇枝かきと整枝を行った。
（５）トマトの幹が約１ｍ位に育った頃に、幹と葉が黒ずんでくる病気<萎凋病>の発生が見られた。これは伝染するので、見つけ次第根から抜き取る。当圃場でも５本（５％）の萎凋病が発生した。この病気にかかると果実も黒くなり落下する。もっとも、この数値は何年も同一ハウス内に栽培しているトマトに比べれば（２０〜２３％）少ない。
（６）収穫時期は開花後３０〜４０日位である。収穫の目安は、袋内に真っ赤な玉が房状になって見えるときである。袋掛けしてあるために、汚損果が少なく、虫鳥害がなく、農薬汚染がなく、着色むらがなく、鮮度低下がなく、裂果がない。袋掛けトマトは秀品率が約８０％と高く、ハウス栽培果に比べれば２倍にも達する。
【００１２】
<考察>
（１）夏秋期（６〜１０月）における露地トマトの有袋栽培は、無農薬の有機ＪＡＳにおいてすら、ハウストマト栽培にくらべ、秀品率が８０：４０と２倍に達した。これは本発明の方法により露地トマトに撥水性と通気性のある白色の紙袋を掛けたことにある。（表２）
（２）外面品質面では有袋栽培を行うことにより、露地トマトのほうが、ハウストマトよりも秀品が多かった。果実は艶々して真っ赤である。
（３）内面品質面では、露地トマトもハウストマトも高い評価を受け甲乙がつけがたかった。糖度は８度と甘い。
（４）安全面では、露地有袋トマトのほうがハウストマトよりもはるかに秀れていた。果実から農薬は検出されなかった。
（５）衛生面では、露地トマトもハウストマトも共に問題はなかった。ショウジョウバエの発生が後日の検査でも認められなかった。
（６）ハウストマトと露地トマトの生産（設備費も含む）コスト比は、１シーズン当り約７倍もハウストマトのほうが高い。（表１）
（７）夏秋期トマトの生産は露地有袋栽培を実施するほうが断然有利である。
【００１３】
【表１】
2007060988.tif 000002
【００１４】
【表２】
2007060988.tif 000003
【図面の簡単な説明】
【００１５】
【図１】本発明でトマト果実の房を被覆する袋の一例を示す図。
【図２】トマト果実の生育状態の一例を示す図。
【図３】トマトの房に切込入りの紙袋をクリップで固定した図。
【符号の説明】
【００１６】
１  袋
２  開口部
３  切込み
４  針金
【図１】
2007060988.tif 000004
【図２】
2007060988.tif 000005
【図３】
2007060988.tif 000006